(57)【要約】【課題】散布量が変わっても、ほほ一定の希釈倍率になるように薬剤を吸わせ、ポンプ内で加圧、撹拌して薬剤散布できる装置を提供する。【解決手段】主系路の終端部に取り付けたノズルと、主系路の始端部で清水タンクへの逆流を防ぐ絞り弁付逆止弁と、清水を吸い上げ加圧するためのポンプと、そのポンプに付属した調圧弁と、調圧弁からの余水を主系路の吸水管に戻すための余水系路と、主系路の吸水管に薬剤を注入するための薬剤系路を具備し、ノズルからの噴霧量にほぼ比例した薬剤量を主系路に注入する。【選択図】図１
2004209379.tif 000002
【特許請求の範囲】
【請求項１】
主系路の終端部に取り付けられ、薬剤と清水から構成される希釈液を大気中へ噴霧するノズルと、主系路の始端部に設けられ、清水タンクへの逆流を防ぐための絞り弁付逆止弁と、清水を吸い上げ、加圧するためのポンプと、そのポンプに付属した調圧弁と、調圧弁からの余水を主系路の吸水管に戻すための余水系路と、前記余水系路の戻り口より始端部側の主系路の吸水管に薬剤を注入するための薬剤系路とを具備することによって、ノズルからの噴霧量にほぼ比例した薬剤量を主系路に注入することができる散布機。
【請求項２】
前記調圧弁が、アンローダー弁であることを特徴とする請求項１記載の散布機。
【発明の詳細な説明】
【０００１】
【産業上の利用分野】
本発明は、走行式、定置式を問わず、農薬や液肥等の散布用機械に使用される農薬、液肥等の定量希釈注入方式に関するものである。
【０００２】
【従来の技術】
慣行的な農薬、液肥散布では、散布機を利用し、清水用タンクに薬剤である農薬または液肥を一定量入れ、撹拌しながら希釈された液をポンプで吸込み、加圧して散布する方法が採られている。（例えば、特許文献１参照）
これまでの農薬注入は、ポンプの吐出流量に比例するように注入ポンプを用いてポンプの吐出側に薬液を注入するシステム、または、吐出側にベンチュリ一管等を使用し、管前後の差圧に比例して薬液を注入する方法が多かった。
【０００３】
【特許文献１】特開平６−７８５４７号公報（第２頁、段落番号０００２等）
【０００４】
【発明が解決しようとする課題】
しかしながら、ポンプの吐出側に薬液を注入する方法では、注入ポンプの吐出圧力によってノズルの作業圧力が制限を受けるという場合が多く、高圧散布には不向きであった。また、吐出側注入方式では、ポンプの余水が無駄なエネルギーとして消費される。注入箇所が高圧で脈動流となっているために高圧に抗しうる注入ポンプを用いる必要があり、注入装置の複雑化や高級化が要求される。また、注入後の薬剤の撹拌が劣るといった欠点がある。
【０００５】
本発明は、このような不具合を解消することを目的としている。
【０００６】
【課題を解決するための手段】
本発明は、このような目的を達成するために、次のような手段を講じたものである。すなわち本発明に係る散布機は、主系路の終端部に取り付けられ、薬剤と清水から構成される希釈液を大気中へ噴霧するノズルと、主系路の始端部に設けられ、清水タンクへの逆流を防ぐための絞り弁付逆止弁と、清水を吸い上げ、加圧するためのポンプと、そのポンプに付属した調圧弁と、調圧弁からの余水を主系路の吸水管に戻すための余水系路と、前記余水系路の戻り口より始端部側の主系路の吸水管に薬剤を注入するための薬剤系路とを具備することによって、ノズルからの噴霧量にほほ比例した薬剤量を主系路に注入することができることを特徴とする。
【０００７】
このように、ポンプの調圧弁の余水を余水系路でポンプの吸水口に戻す構成のものであれば、ノズルより吐出される利用流量と、余水が戻された戻り口より下流の吸水流量とは、等しくなる。この関係はノズルの利用流量が変化しても、ノズルの吐出圧力が変わっても、変わることが無い。従って、戻り口より下流の吸水流量に比例して薬液を注入できれば、利用流量にほぼ比例した濃度が得られる。
【０００８】
主系路の始端部に設けられている絞り弁付き逆止弁を介して吸水することによって、余水戻り口より下流部に設けた薬剤注入口で負圧が発生する。この負圧によって薬剤タンクより注入ユニットを通して薬剤を吸込むことによって、吸水量にほぼ比例した薬剤を注入することができる。例えば、濃度は注入ユニットで調整することも考えられる。ポンプと水タンクの液面の位置によって薬剤注入口での負圧が変化し、注入量は変わるが、農薬、液肥散布では、慣行的に、ポンプ位置と水タンクの位置が決まることが多いので、許容範囲内での注入倍率すなわち、希釈倍率は維持できる。
【０００９】
散布作業を、手元コックで一時停止させた場合は全量が余水系路を循環するため、吸水量はゼロとなり薬剤の注入は行われない。作業終了時、ポンプを停止した状態では、ポンプ内の液体は、注入ユニットの逆止弁によって、薬剤タンクへの逆流は防がれる。また、水タンク内への逆流は、吸水管の絞り弁付き逆止弁によって防がれる。
【００１０】
前記調圧弁として、アンローダー弁を使用することにより、ノズルからの噴霧を例えば手元コックで止めたときに起こる液体の循環によるポンプの発熱を押さえることができる。
【００１１】
【発明の実施の形態】
以下、本発明の一実施形態を、図１乃至３を参照して説明する。
【００１２】
本実施形態における散布機は、薬剤と清水から構成される希釈液を大気中に噴霧するノズルを介して散布するためのものである。
【００１３】
図１は、本発明の配管図を、また図２は本願実施形態の散布機を斜視図で表示したものである。図１、図２において、高圧ポンプ１は原動機２によって駆動される。高圧ポンプ１が騒動されると、清水等は高圧ポンプ１の吸水力によって吸上げられ、主系路の吸水管８、高圧ポンプ１、吐出ホース３を流れて、終端部のスプレーガン４のノズル４ａより大気中に放出される。図１において、この主系路の流れを太い実線で表している。ノズル４ａの吐出圧力は高圧ポンプ１の調圧弁５で調整される。
【００１４】
ノズル４ａの口径と吐出圧力で、利用流量Ｑが決まるが、高圧ポンプ１の全量をＱｔとすると余水量Ｑｒ＝Ｑｔ−Ｑが、調圧弁５の余水口５ａより余水系路６を通って、高圧ポンプ１の戻り口７を介して主系路の吸水管８に戻される。このとき、主系路の吸水管８を流れる水量ＱｓはＱｔ−ＱｒであるからＱｓ＝Ｑｔ−（Ｑｔ−Ｑ）＝Ｑで、Ｑｓは利用流量Ｑにほぼ等しい。
【００１５】
この主系路の吸水管８の始端部には、ストレ一ナ１０があり、水タンク１１の中に浸っている。ストレ一ナ１０の上部には絞り付き逆止弁９がネジ止めされており、清水タンクへの液体の逆流を防いでいる。絞り付き逆止弁９は、逆止弁９ａと絞り９ｂで構成される（図３）。この絞り付き逆止弁９を通って、水が吸われるため、薬液注入口１２での負圧は吸水量Ｑｓに応じて変化し、その負圧の平方根に比例して薬剤タンク１６より薬剤１７が吸い上げられる。
【００１６】
注入ユニット１３は、余水の戻り口７の下流に位置し、逆止弁１４が吸水流れに対して直角方向に取付けられ、液体の逆流を防いでいる。薬剤系路１５は、ビニールチューブで構成され、その始端には重りを兼ねた絞り１８が内装されている。この薬剤系路１５は、前記余水系路６の戻り口７より始端部側の主系路の吸水管８に薬剤を注入するためのものであり、逆止弁１４に至るまでの間にコック１９を取付け、薬剤を注入しないときは、このコック１９を閉じる。希釈倍率は、逆止弁１４内部のバネの強度と、絞り１８の開度によって決められ、本実施例では、薬剤１７の量と、利用流量Ｑとの比が１／１００となる事を目標とした。
【００１７】
なお、本発明は、以上説明した実施例に限定されるものではない。例えば、調圧弁５としてアン口一ダ一弁を使用することによって、ノズル４ａからの散布を手元コック４ｂで止めたときの液体の循環による高圧ポンプ１の発熱を押さえることができる。
【００１８】
また、調圧弁を持たない揚水用うず巻ポンプの配管においても、使用可能である。
【００１９】
その他、各部の構成は図示例に限定されるものではなく、本発明の趣旨を逸脱しない範囲で種々変形が可能である。
【００２０】
【発明の効果】
本発明は、以上に詳述したように、ポンプの余水を調圧弁よりポンプの吸込み口に戻し、その戻り口より下流部に薬剤を注入するための薬剤注入系路を設け、戻り口より下流の吸水量にほほ比例した薬剤を主系路に注入させることができる。この、戻り口より下流の吸水量と、ノズルからの吐出流量は、ほぼ等しい。
【００２１】
このため、ノズルを変えても、吐出量可変型のノズルを使用しても、又ポンプの回転数を変えても、又例えば高圧ポンプそのものを取替えても、ポンプの吸水管ならびに薬剤系路を同一のものとすれば、ほぼ一定の希釈倍率での散布が可能となる。
【００２２】
ポンプと水タンクの液面の位置によって薬剤注入口での負圧が変化し、注入量は変わるが、農薬、液肥散布では、慣行的に、ポンプ位置と水タンクの位置が決まることが多いので、許容範囲内での注入倍率すなわち、希釈倍率は維持できる。
【図面の簡単な説明】
【図１】本発明の一実施例を示す配管図
【図２】本発明の一実施例を示す実機の斜視図
【図３】絞り付き逆止弁詳細図
【符号の説明】
１…高圧ポンプ
２・・・原動機
３・・・吐出ホース（主系路）
４ａ・・・ノズル
５・・・調圧弁
６・・・余水系路
７・・・戻り口
８・・・吸水管（主系路）
９・・・絞付き逆止弁
１２・・・注入口
１３・・・注入ユニット
１４・・・逆止弁
１５・・・薬剤系路
１７・・・薬剤
１８・・・絞り
１９・・・コック
【図１】
2004209379.tif 000003
【図２】
2004209379.tif 000004
【図３】
2004209379.tif 000005